(57)【特許請求の範囲】
【請求項１】
管路の途中に配設されおり、点検口からテストボールを挿入して管路内の真空度テストを行うための真空式下水道用の管継手において、管路間を連結する直線方向の管接続部に対して点検口から斜めに接続するテストボール導入部を設け、該テストボール導入部の接続基部の接続開口は、テストボール導入部の上部に比較し、テストボールを装填した際管接続部にテストボールが落とし込めるような管接続部の前後方向に向けて拡大した内部形状を具備していることを特徴とする真空式下水道用の管継手。
【発明の詳細な説明】
【０００１】
【産業上の利用分野】
本発明は、真空式下水道用の管路に設けられて、管路内の真空度テストを行う際に使用されるテストボール導入のための点検口を有する管継手に関するものである。
【０００２】
【従来の技術】
近時、下水道の普及によって、海抜ゼロメートルなどの低地にも、下水道管を施設するようになったが、下水処理場までの管路に、必要な排水勾配を与える余裕がない。また、都市部に比べて居住密度が低い領域で、下水道用管路を施設する場合、必要な排水勾配を与えるためには、管路長さによって、下水管の埋設深さが増大し、施工費が膨大になるという問題がある。
【０００３】
そこで、下水管内を真空にして、その気圧差を利用して汚水を搬送する真空式下水道システムが開発され、漸次、普及している。このシステムには、真空ポンプ方式やエジェクタ方式が知られており、前者は、集水タンクを密閉構造として、真空ポンプで管路内に真空を発生させるものであり、後者は、集水タンクを大気開放として、集水タンク内の汚水を汚水循環ポンプでエジェクタに循環噴出させ、管路内に真空を発生させるものである。
【０００４】
このシステムでは、例えば、図６で示すように（ここでは真空ポンプ方式が例示してあるが）、各家庭１からの汚水は、管路２を介して、真空弁付汚水ユニット３に落とし込まれ、そこから真空下水道用の管路４を経由して、真空ステーション５に送られ、更に、下水処理場へと搬送される。
【０００５】
真空弁付汚水ユニット３では、タンク３Ａ内の汚水が所要量を越えると、コントローラ３Ｂが働いて、一定量が管路４に導出されるまで、真空弁３Ｃを開放する。管路４は、適当な排水のための下り勾配を持っているが、途中に登り勾配の部分を設けて、地表に対して一定の埋設深さを保つようになっている。
【０００６】
また、真空ステーション５では、管路４からの汚水を受ける汚水タンク５Ａに管路５Ｂを介して真空ポンプ５Ｃを接続し、封水タンク５Ｄを経由して、排気管５Ｅから大気に排気すると共に、圧送ポンプ５Ｆによって、汚水タンク５Ａの汚水を下水処理場へと搬送する。
【０００７】
このような真空式下水道システムでは、管路４の途中に漏洩があると、真空引きの際、外部から空気、水などが侵入して、汚水の搬送を妨げる虞があるので、この点を十分管理する必要がある。そこで、管路の途中には、適当な間隔で、点検口を有する三叉構造の管継手６が配設してあり、必要に応じて、点検口を開放し、そこから真空度テスト用のテストボールを導入し、管路を局部的に閉塞して、それより下流での真空度を検査できるようにしている。
【０００８】
【発明が解決しようとする課題】
ここで問題になるのは、通常の略Ｔ字形をなす三叉構造の管継手では、各分岐管路の内径が同形であり、図７に示すように、管路４、４間を連結する直線方向の管接続部６Ａに対して、テストボール導入部６Ｃを点検口６Ｂから斜めに接続させたとしても、テストボール導入部６Ｃの接続基部の接続開口６Ｄが、点検口６Ｂの口径とほぼ同じであるから、これに近い外形寸法の円柱形のテストボール７を、開放された点検口６Ｂを介して装填した際、管接続部６Ａ内にテストボールを押し込め、膨張させ、また、収縮させ、引き戻す操作が、接続開口６Ｄの前後の接続箇所ＡおよびＢで阻害され、スムーズに行えない点である。
【０００９】
【発明の目的】
本発明は上記事情に基いてなされたもので、真空度テストの際、点検口からのテストボールの装填、取り出しが容易にできるように、その構造を改良した真空式下水道用の管継手を提供しようとするものである。
【００１０】
【課題を解決するための手段】
このため、本発明では、図示も実施例でも明らかにしたように、管路４の途中に配設されおり、点検口１６Ｂからテストボール１７を挿入して管路４内の真空度テストを行うための真空式下水道用の管継手１６において、管路４間を連結する直線方向の管接続部１６Ａに対して点検口１６Ｂから斜めに接続するテストボール導入部１６Ｃを設け、該テストボール導入部１６Ｃの接続基部１６Ｃ−２の接続開口１６Ｄは、テストボール導入部１６Ｃの上部１６Ｃ−１に比較し、テストボール１７を装填した際管接続部１６Ａにテストボール１７が落とし込めるような管接続部１６Ａの前後方向に向けて拡大した内部形状を具備していることを特徴としている。なお、管継手の点検口１６Ｂは、マンホールＨ（図６）を介して地上から開閉できるように配置されている。
【００１１】
【作用】
従って、点検口１６Ｂからのテストボール１７の装填、取り出しが円滑に行え、真空度テストの作業性を向上できることになる。
【００１２】
【実施例】
以下、本発明を図示の実施例に基づいて具体的に説明する。図１ないし図５に示す実施例の管継手１６は、三叉構造であり、図６を参照して既に説明したように、真空式下水道用の管路４の途中に配設されおり、点検口１６Ｂからゴム製の円柱形のテストボール１７を挿入して、管路４内の真空度テストを行うためのものである。
【００１３】
管継手１６は、管路４、４間を連結する直線方向の管接続部１６Ａに対して点検口１６Ｂから斜めに連通するテストボール導入部１６Ｃを有しており、テストボール導入部１６Ｃの下部の接続基部１６Ｃ−２の接続開口１６Ｄは、テストボール導入部１６Ｃの上部１６Ｃ−１に比較し、テストボール１７を装填した際管接続部１６Ａにテストボール１７が落とし込めるような管接続部１６Ａの前後方向に向けて拡大した内部形状を有している。すなわち、テストボール導入部１６Ｃの接続基部１６Ｃ−２の傾斜方向上部の内壁面は、上方向に広がる方向に拡大傾斜され、同傾斜方向下部の内壁面と管接続部１６Ａの連続する内壁面の角部は切り落とされた形状とされている。
【００１４】
このような管継手の形状では、図３のように、開放された点検口１６Ｂからテストボール１７（実線）を挿入して、管接続部１６Ａに対して、簡単に落とし込み（想像線）が行える。そして、図４に示すように、管路方向に沿って、若干、テストボール１７を前進させ、外部から空気圧をテストボール１７に加えて、膨張させることで、管継手部１６Ａの片側を閉塞状態にして、管路４を遮断する。これによって、例えば、閉塞箇所の下流側で、真空度テストが実現できる。
【００１５】
なお、テスト後は、テストボール１７を後退させ、テストボール１７の後端を引き上げて、点検口１６Ｂより取り出せばよい。また、点検口１６Ｂには、通常、盲目蓋１８が気密に装着されている。なお、図中、符号１９は、気密保持のためのパッキングである。
【００１６】
このような管継手は、その一具体例を挙げれば、図５に示すように、本管部（管継手部１６Ａ）と支管部（テストボール導入部１６Ｃ）が同径で、呼び径が７５ｍｍの略４５度で分岐する管継手において、改良前では、支管部の接続開口（イ）部の内径が７７ｍｍφ、（ロ）部の長さが１１０ｍｍであって、一方、使用する中空ゴム製のテストボール１７の外径が７０ｍｍφ、長さは１５０ｍｍであって、点検口１６Ｂから閉塞箇所にこのテストボール１７を挿入することは、上記（イ）部及び（ロ）部の寸法及び形状的要因により挿入不可（テストボールはゴム製であるが無理をしても不可）であった。これに対し、本発明に係る改良形では、（イ）部寸法は、分岐上部（上部１６Ｃ−１）では７７ｍｍφであるが、本管部（管継手部１６Ａ）との接続部では９０ｍｍφであり、（ロ）部の長さは１５０ｍｍであって、点検口１６Ｂから閉塞箇所へのテストボール１７の挿入が容易に行えることを確認している。また、図５の具体例において、支管部（テストボール導入部１６Ｃ）の中心線は本管部（管継手部１６Ａ）の中心線に対し略４５度で分岐しており、接続部（接続基部１６Ｃ−２）の傾斜方向上部の内壁面は本管部（管継手部１６Ａ）の中心線に対し略３５度の角度で傾斜おり、この内壁面の傾斜角度は略４０度から略３０度の範囲で定めると良い。また、テストボール導入部１６Ｃの接続基部１６Ｃ−２の傾斜方向下部の内壁面と管接続部１６Ａの連続する内壁面の切落面の本管部（管継手部１６Ａ）の中心線との角度は、略７０度となっている。
【００１７】
【発明の効果】
本発明は、以上詳述したようになり、管路の途中に配設されおり、点検口からテストボールを挿入して、管路内の真空度テストを行うための、真空式下水道用の管継手において、管路間を連結する管接続部に対して点検口から斜めに連通するテストボール導入部を設け、該テストボール導入部の接続基部の接続開口は、テストボールを装填した際管接続部にテストボールが落とし込めるような管接続部の前後方向に向けて拡大した内部形状としたので、点検口からのテストボールの装填、取り出しが円滑に行え、真空度テストの作業性を向上できる。
【図面の簡単な説明】
【図１】本発明の一実施例を示す全体の縦断側面図である。
【図２】同じく、一部を縦断して示した端面図である。
【図３】本発明の管継手におけるテストボール装填の状態を示す縦断側面図である。
【図４】同じく、テストボール装填の最終状態を示す縦断側面図である。
【図５】本発明の具体例を示す全体の縦断側面図である。
【図６】本発明に係わる真空式下水道システムを概略的に示す側面図である。
【図７】改良前の管継手の構造を示す縦断側面図である。
【符号の説明】
１    家庭
２    管路
３    真空弁付汚水ユニット
４    管路
５    真空ステーション
６    管継手（改良前）
７    テストボール
１６    管継手
１６Ａ    管接続部
１６Ｂ    点検口
１６Ｃ    テストボール挿入部
１６Ｄ    接続開口
１７    テストボール
１８    盲目蓋
１９    パッキング
【図１】
0003596073.tif 000002
【図２】
0003596073.tif 000003
【図３】
0003596073.tif 000004
【図４】
0003596073.tif 000005
【図５】
0003596073.tif 000006
【図６】
0003596073.tif 000007
【図７】
0003596073.tif 000008